(57)【要約】【課題】入隅方立や直線方立を利用して三方以上のコーナー部を構成できるとともに、止水部分を削減できるコーナー方立を提供すること。【解決手段】三方コーナー方立３０Ａは、互いに交差する方向に沿って位置する第一係合片部２１１および第二係合片部２１２と、第一係合片部２１１および第二係合片部２１２に連続する内片部２１３，２１４とを有する方立部材３１と、第一係合片部２１１に係合する第一パネル保持部材３２と、第二係合片部２１２に係合する第二パネル保持部材３３とを備え、第一係合片部２１１および第一パネル保持部材３２間と第二係合片部２１２および第二パネル保持部材３３間とには止水構造１３５が構成され、内片部２１３，２１４には、第三パネル保持部材３７を有するアタッチメント３５が取り付けられる。【選択図】図５
2017160767.tif 000002
【特許請求の範囲】
【請求項１】
互いに交差する方向に沿って位置する第一係合片部および第二係合片部と前記第一係合片部および前記第二係合片部に連続する内片部とを有する方立部材と、前記第一係合片部に係合する第一パネル保持部材と、前記第二係合片部に係合する第二パネル保持部材とを備え、
前記第一係合片部および前記第一パネル保持部材間と前記第二係合片部および前記第二パネル保持部材間とには止水構造が構成され、
前記内片部には、第三パネル保持部を有する少なくとも一つのアタッチメントが取り付けられる
ことを特徴とするコーナー方立。
【請求項２】
請求項１に記載のコーナー方立において、
前記第一係合片部および前記第一パネル保持部材間と前記第二係合片部および前記第二パネル保持部材間とにはホローがそれぞれ形成され、
前記ホローには、前記止水構造を構成する止水材がそれぞれ充填される
ことを特徴とするコーナー方立。
【請求項３】
第一パネル保持部材と、前記第一パネル保持部材に対して左右方向に対向して係合する第二パネル保持部材とを備え、
前記第一パネル保持部材および前記第二パネル保持部材間には止水構造が構成され、
前記第一パネル保持部材および前記第二パネル保持部材のうちの少なくとも一方の内片部には、第三パネル保持部を有するアタッチメントが取り付けられる
ことを特徴とするコーナー方立。
【請求項４】
請求項３に記載のコーナー方立において、
前記第一パネル保持部材および前記第二パネル保持部材間にはホローが形成され、
前記ホローには、前記止水構造を構成する止水材が充填される
ことを特徴とするコーナー方立。
【請求項５】
請求項３または請求項４に記載のコーナー方立において、
前記アタッチメントは、前記第一パネル保持部材および前記第二パネル保持部材の双方の内片部にわたって取り付けられる
ことを特徴とするコーナー方立。
【請求項６】
請求項１から請求項５のいずれか一項に記載のコーナー方立において、
前記アタッチメントは、前記内片部に取り付けられる係合部材と、前記第三パネル保持部を有する第三パネル保持部材とを備え、
前記第三パネル保持部材は、前記係合部材に係合する
ことを特徴とするコーナー方立。
【請求項７】
互いに交差する方向に沿って位置する第一係合片部および第二係合片部と前記第一係合片部および前記第二係合片部に連続する内片部とを有する方立部材と、前記第一係合片部に係合する第一パネル保持部材と、前記第二係合片部に係合する第二パネル保持部材とを備え、
前記第一係合片部および前記第一パネル保持部材間と前記第二係合片部および前記第二パネル保持部材間とには止水構造が構成され、
前記内片部には、少なくとも一つのアタッチメントが取り付けられ、
前記アタッチメントは、当該アタッチメントの見込み方向における第一向き、および前記第一向きとは逆の第二向きのうちの一方の向きで前記内片部に取り付けられる係合部材と、前記係合部材に係合する第三パネル保持部材とを備える
ことを特徴とするコーナー方立。
【請求項８】
請求項７に記載のコーナー方立において、
前記第一パネル保持部材および前記第二パネル保持部材のうちの一方のパネル保持部材と前記第三パネル保持部材とは、パネルの一方の面側に位置する第一見付け片部と、前記パネルの他方の面側に位置する第二見付け片部とをそれぞれ有し、
前記係合部材は、前記一方の係合片部の係合部分と断面形状が同じ係合部分を有し、
前記第一見付け片部同士または前記第二見付け片部同士は、前記第一係合片部および前記第二係合片部のうち前記一方のパネル保持部材が係合する一方の係合片部と、前記係合部材とともに入隅コーナー面を構成している
ことを特徴とするコーナー方立。
【請求項９】
請求項８に記載のコーナー方立において、
前記係合部材は、前記一方の係合片部に対して、当該一方の係合片部および前記内片部の交差角を二等分する仮想直線を対称軸として線対称となるように配置されている
ことを特徴とするコーナー方立。
【請求項１０】
第一パネル保持部材と、前記第一パネル保持部材に対して左右方向に対向して係合する第二パネル保持部材とを備え、
前記第一パネル保持部材および前記第二パネル保持部材間には止水構造が構成され、
前記第一パネル保持部材および前記第二パネル保持部材のうちの少なくとも一方の内片部には、アタッチメントが取り付けられ、
前記アタッチメントは、前記左右方向における第一向き、および前記第一向きとは逆の第二向きのうちの一方の向きで前記内片部に取り付けられる係合部材と、前記係合部材に係合する第三パネル保持部材とを備える
ことを特徴とするコーナー方立。
【発明の詳細な説明】
【技術分野】
【０００１】
本発明は、入隅方立や直線方立を利用して構成される三方以上のコーナー方立に関する。
【背景技術】
【０００２】
従来、入隅コーナー部に方立を設けたコーナーサッシ窓が知られている（特許文献１参照）。
このコーナーサッシ窓の方立は、角筒状の方立本体と、方立本体のガラス側の二面に設けられたガラス保持部とを有している。二つのガラス保持部に保持される二つのガラスは互いに直交して配置されて入隅コーナー部を形成している。
【先行技術文献】
【特許文献】
【０００３】
【特許文献１】特開２０１０−２７５７５２号公報
【発明の概要】
【発明が解決しようとする課題】
【０００４】
ところで、特許文献１に記載のコーナーサッシ窓では、互いに直交して配置される２つのガラスを方立（入隅方立）によって保持して入隅コーナー部を構成するだけであり、三方以上のガラス等のパネルを保持する構成とされていない。このため、前述した方立を利用して三方以上のガラス等のパネルを保持することが困難である。また、入隅方立のほか、２つのガラスが直線上に配置して保持する直線方立においても、上記同様に三方以上のガラス等のパネルを保持することが困難である。
【０００５】
一般に、専用部品である三方コーナー方立を設置して三方コーナー部を構成することが知られているが、この三方コーナー方立では、外部に面して配置される部分を設置前に特定できないため、三方コーナー方立の周囲のすべてに止水部品やシールが必要となってしまう。
【０００６】
本発明の目的は、入隅方立や直線方立を利用して三方以上のコーナー部を構成できるとともに、止水部分を削減できるコーナー方立を提供することにある。
【課題を解決するための手段】
【０００７】
本発明のコーナー方立は、互いに交差する方向に沿って位置する第一係合片部および第二係合片部と前記第一係合片部および前記第二係合片部に連続する内片部とを有する方立部材と、前記第一係合片部に係合する第一パネル保持部材と、前記第二係合片部に係合する第二パネル保持部材とを備え、前記第一係合片部および前記第一パネル保持部材間と前記第二係合片部および前記第二パネル保持部材間とには止水構造が構成され、前記内片部には、第三パネル保持部を有する少なくとも一つのアタッチメントが取り付けられることを特徴とする。
【０００８】
本発明のコーナー方立によれば、方立部材の第一係合片部に第一パネル保持部材を係合し、かつ方立部材の第二係合片部に第二パネル保持部材を係合することで、入隅方立を構成できる。そして、第一係合片部および第一パネル保持部材間と第二係合片部および第二パネル保持部材間に止水構造を構成することで、室外側と室内側とを隔てる止水ラインを形成できる。
さらに、方立部材の内片部にアタッチメントを取り付けることで、入隅方立を利用して三方以上のパネルを保持するコーナー方立を構成できる。例えば、一つのアタッチメントを取り付けた場合には三方コーナー方立を構成でき、また二つのアタッチメントを取り付けた場合には四方コーナー方立を構成できる。
加えて、前述した止水ラインを形成することで、止水ラインよりも室内側に止水構造を構成する必要がなくなる。これにより、方立部材の内片部や当該内片部に取り付けられるアタッチメントに止水構造を構成する必要がなく、止水部分を削減できる。
【０００９】
本発明のコーナー方立では、前記第一係合片部および前記第一パネル保持部材間と前記第二係合片部および前記第二パネル保持部材間とにはホローがそれぞれ形成され、前記ホローには、前記止水構造を構成する止水材がそれぞれ充填されることが好ましい。
このような構成によれば、第一係合片部および第一パネル保持部材間に形成されるホローと第二係合片部および第二パネル保持部材間に形成されるホローとを利用して止水構造を簡単に構成できる。
【００１０】
本発明のコーナー方立は、第一パネル保持部材と、前記第一パネル保持部材に対して左右方向に対向して係合する第二パネル保持部材とを備え、前記第一パネル保持部材および前記第二パネル保持部材間には止水構造が構成され、前記第一パネル保持部材および前記第二パネル保持部材のうちの少なくとも一方の内片部には、第三パネル保持部を有するアタッチメントが取り付けられることを特徴とする。
【００１１】
本発明のコーナー方立によれば、互いに係合する第一パネル保持部材と第二パネル保持部材とによって直線方立を構成できる。そして、第一パネル保持部材および第二パネル保持部材間に止水構造を構成することで、室外側と室内側とを隔てる止水ラインを形成できる。
さらに、第一パネル保持部材および第二パネル保持部材のうちの少なくとも一方の内片部にアタッチメントを取り付けることで、直線方立を利用して三方のパネルを保持する三方コーナー方立を構成できる。
加えて、前述した止水ラインを形成することで、止水ラインよりも室内側に止水構造を構成する必要がなくなる。これにより、内片部や当該内片部に取り付けられるアタッチメントに止水構造を構成する必要がなく、止水部分を削減できる。
【００１２】
本発明のコーナー方立では、前記第一パネル保持部材および前記第二パネル保持部材間にはホローが形成され、前記ホローには、前記止水構造を構成する止水材が充填されることが好ましい。
このような構成によれば、第一パネル保持部材および第二パネル保持部材間のホローを利用して止水構造を簡単に構成できる。
【００１３】
本発明のコーナー方立では、前記アタッチメントは、前記第一パネル保持部材および前記第二パネル保持部材の双方の内片部にわたって取り付けられることが好ましい。
このような構成によれば、第一パネル保持部材と第二パネル保持部材との間の部分を室内側からアタッチメントによって目隠しできる。
【００１４】
本発明のコーナー方立では、前記アタッチメントは、前記内片部に取り付けられる係合部材と、前記第三パネル保持部を有する第三パネル保持部材とを備え、前記第三パネル保持部材は、前記係合部材に係合することが好ましい。
このような構成によれば、第三パネル保持部材と係合部材とが係合する構造とすることで、第三パネル保持部材の係合部分を第一パネル保持部材や第二パネル保持部材の係合部分と同様に形成でき、互換性を向上でき、形材点数を削減できる。
【００１５】
本発明のコーナー方立は、互いに交差する方向に沿って位置する第一係合片部および第二係合片部と前記第一係合片部および前記第二係合片部に連続する内片部とを有する方立部材と、前記第一係合片部に係合する第一パネル保持部材と、前記第二係合片部に係合する第二パネル保持部材とを備え、前記第一係合片部および前記第一パネル保持部材間と前記第二係合片部および前記第二パネル保持部材間とには止水構造が構成され、前記内片部には、少なくとも一つのアタッチメントが取り付けられ、前記アタッチメントは、当該アタッチメントの見込み方向における第一向き、および前記第一向きとは逆の第二向きのうちの一方の向きで前記内片部に取り付けられる係合部材と、前記係合部材に係合する第三パネル保持部材とを備えることを特徴とする。
【００１６】
本発明のコーナー方立によれば、係合部材の内片部に対する取り付け向きを第一向きと第二向きとで選択することで、この係合部材に取り付けられる第三パネル保持部材の見込み方向における向きを設定できる。このため、第一パネル保持部材および第二パネル保持部材のうちの一方のパネル保持部材と第三パネル保持部材とによって構成される入隅コーナー面の意匠を当該一方のパネル保持部材側と第三パネル保持部材側とで意匠を揃えることができ、また、異なる意匠とすることもできる。
【００１７】
本発明のコーナー方立では、前記第一パネル保持部材および前記第二パネル保持部材のうちの一方のパネル保持部材と前記第三パネル保持部材とは、パネルの一方の面側に位置する第一見付け片部と、前記パネルの他方の面側に位置する第二見付け片部とをそれぞれ有し、前記係合部材は、前記一方の係合片部の係合部分と断面形状が同じ係合部分を有し、前記第一見付け片部同士または前記第二見付け片部同士は、前記第一係合片部および前記第二係合片部のうち前記一方のパネル保持部材が係合する一方の係合片部と、前記係合部材とともに入隅コーナー面を構成していることが好ましい。
このような構成によれば、一方の係合片部に係合する一方のパネル保持部材と第三パネル保持部材との第一見付け片部同士もしくは第二見付け片部同士を利用して入隅コーナー面を構成することで、一方のパネル保持部材側と第三パネル保持部材側とで意匠を揃えることができる。
【００１８】
本発明のコーナー方立では、前記係合部材は、前記一方の係合片部に対して、当該一方の係合片部および前記内片部の交差角を二等分する仮想直線を対称軸として線対称となるように配置されていることが好ましい。
このような構成によれば、一方のパネル保持部材側と第三パネル保持部材側とで意匠をさらに揃えることができる。
【００１９】
本発明のコーナー方立は、第一パネル保持部材と、前記第一パネル保持部材に対して左右方向に対向して係合する第二パネル保持部材とを備え、前記第一パネル保持部材および前記第二パネル保持部材間には止水構造が構成され、前記第一パネル保持部材および前記第二パネル保持部材のうちの少なくとも一方の内片部には、アタッチメントが取り付けられ、前記アタッチメントは、前記左右方向における第一向き、および前記第一向きとは逆の第二向きのうちの一方の向きで前記内片部に取り付けられる係合部材と、前記係合部材に係合する第三パネル保持部材とを備えることを特徴とする。
【００２０】
本発明のコーナー方立によれば、係合部材の内片部に対する取り付け向きを第一向きと第二向きとで選択することで、この係合部材に取り付けられる第三パネル保持部材の左右方向における向きを設定できる。このため、第一パネル保持部材および第二パネル保持部材のうちの一方のパネル保持部材側と第三パネル保持部材側との意匠を揃えることができ、また、異なる意匠とすることもできる。
【発明の効果】
【００２１】
本発明によれば、入隅方立や直線方立を利用して三方以上のコーナー部を構成できるとともに、止水部分を削減できるコーナー方立を提供できる。
【図面の簡単な説明】
【００２２】
【図１】本発明の第１実施形態に係る三方コーナー方立を備える建具を示す模式図。
【図２】図１の建具における一方側の出隅方立を示す横断面図。
【図３】図１の建具における他方側の出隅方立を示す横断面図。
【図４】図１の建具における入隅方立を示す横断面図。
【図５】前記第１実施形態に係る三方コーナー方立を示す横断面図。
【図６】本発明の第２実施形態に係る三方コーナー方立を備える建具を示す模式図。
【図７】前記第２実施形態に係る三方コーナー方立を示す横断面図。
【図８】本発明の第１変形例に係る四方コーナー方立を示す横断面図。
【図９】本発明の第２変形例に係る三方コーナー方立を備える建具を示す横断面図。
【図１０】本発明の第３変形例に係る三方コーナー方立を備える建具を示す横断面図。
【図１１】第３変形例に係る三方コーナー方立を示す横断面図。
【図１２】本発明の第４変形例に係る三方コーナー方立を示す横断面図。
【発明を実施するための形態】
【００２３】
［第１実施形態の構成］
以下、本発明の実施形態を図面に基づいて説明する。
図１は、建物内外を仕切る建具１であって出入口における風除室２を構成するスクリーンフロントを示す。建具１は、複数のパネル５と、複数のパネル５間に出隅方立１０、入隅方立２０および三方コーナー方立３０とを備えて構成されている。
複数のパネル５は、本実施形態では複層のガラスパネルによって構成されているが、単層のガラスパネルによって構成されてもよく、また、木製、金属製等のパネルによって構成されてもよい。
なお、図１において建具１の室外側に沿って示す点線は止水ライン３である。
【００２４】
出隅方立１０（１０Ａ，１０Ｂ）は、互いに直交する方向に沿って配置される二つのパネル５を保持して出隅コーナー部を形成している。入隅方立２０（２０Ａ，２０Ｂ）は、互いに直交する方向に沿って配置される二つのパネル５を保持して入隅コーナー部を形成している。第１実施形態に係るコーナー方立である三方コーナー方立３０（３０Ａ，３０Ｂ）は、互いに異なる三方向に沿って配置される三つのパネル５を保持して三方コーナー部を形成している。
【００２５】
三方コーナー方立３０の室外側には出隅方立１０が配置されており、三方コーナー方立３０の室内側には入隅方立２０が配置されている。三方コーナー方立３０および出隅方立１０間と、三方コーナー方立３０および入隅方立２０間とには、パネル５がそれぞれ配置されている。
出隅方立１０Ａ，１０Ｂ間には二つのパネル５が左右方向に沿って配置されている。この二つのパネル５のうち図１に右側に示すパネル５は開閉可能な開閉パネルである。入隅方立２０Ａ，２０Ｂ間には二つのパネル５が左右方向に沿って配置されている。この二つのパネル５のうち図１に左側に示すパネル５は開閉可能な開閉パネルである。
出隅方立１０、入隅方立２０および三方コーナー方立３０とこれらの間に配置される各パネル５とによって風除室２が形成されている。
【００２６】
出隅方立１０Ａは、図２に示すように、方立部材１１と、第一パネル保持部材１２と、第二パネル保持部材１３とを備えている。方立部材１１、第一パネル保持部材１２および第二パネル保持部材１３は、アルミ製の押出形材によって形成されている。
【００２７】
方立部材１１は、第一係合片部１１１、第二係合片部１１２、外片部１１３，１１４を有して角筒状に形成されている。第一係合片部１１１には、当該第一係合片部１１１に直交する方向に沿った第二係合片部１１２が連続している。第二係合片部１１２には、当該第二係合片部１１２に直交する方向に沿った外片部１１３が連続している。外片部１１３には、当該外片部１１３に直交する方向に沿った外片部１１４が連続している。外片部１１４には、当該外片部１１４に直交する方向に沿った第一係合片部１１１が連続している。
【００２８】
第一係合片部１１１には、その一方の端部に配置された係合溝形成部１１５と、係合溝形成部１１５よりも室内側の他方の端部に配置された係合突部１１６と、係合溝形成部１１５および係合突部１１６間に配置された中間係合溝形成部１１７とが形成されている。係合溝形成部１１５、係合突部１１６および中間係合溝形成部１１７は、第一係合片部１１１から第一パネル保持部材１２側に突出して形成されている。
【００２９】
第二係合片部１１２には、第一係合片部１１１と同様に、係合溝形成部１１５、係合突部１１６および中間係合溝形成部１１７が形成されている。第二係合片部１１２の係合溝形成部１１５、係合突部１１６および中間係合溝形成部１１７は、第二係合片部１１２から第二パネル保持部材１３側に突出して形成されている。
【００３０】
第一パネル保持部材１２は、外見付け片部１２１と、外見付け片部１２１に連続する見込み片部１２２と、見込み片部１２２に連続する内見付け片部１２３と、外見付け片部１２１および内見付け片部１２３間に位置して見込み片部１２２に連続するパネル対向片部１２４と、パネル対向片部１２４および内見付け片部１２３をつなげる連続片部１２５とを有している。
外見付け片部１２１およびパネル対向片部１２４間には、外見付け片部１２１との間に押縁係合溝を形成する突部１２６が見込み片部１２２から突出して形成されている。前記押縁係合溝には押縁１２７が係合している。
【００３１】
見込み片部１２２には、外係合突部１２８と、中間係合突部１２９と、内係合突部１３０とが形成されている。外係合突部１２８、中間係合突部１２９および内係合突部１３０は、見込み片部１２２から方立部材１１の第一係合片部１１１側に突出して形成されている。
外係合突部１２８は係合溝形成部１１５に係合しており、中間係合突部１２９は中間係合溝形成部１１７に係合しており、内係合突部１３０は係合突部１１６に係合している。
外係合突部１２８および中間係合突部１２９には、係合溝形成部１１５および中間係合溝形成部１１７に当接する気密材６が装着されている。
【００３２】
第一係合片部１１１と第一パネル保持部材１２の見込み片部１２２との間には、二つのホロー１３１，１３２が形成される。ホロー１３１は、第一パネル保持部材１２の見込み方向において外係合突部１２８および係合溝形成部１１５と中間係合溝形成部１１７との間に位置し、ホロー１３２は、ホロー１３１に対して風除室２側であって第一パネル保持部材１２の見込み方向において中間係合溝形成部１１７および中間係合突部１２９と係合突部１１６および内係合突部１３０との間に位置する。
ホロー１３１には止水材７が充填されている。このように、方立部材１１と第一パネル保持部材１２との間には、ホロー１３１に充填された止水材７と外係合突部１２８および中間係合突部１２９に装着された気密材６とによって止水構造１３５が構成されている。
【００３３】
パネル対向片部１２４および押縁１２７には、バックアップ材８およびシール材９が設けられている。パネル対向片部１２４側のバックアップ材８およびシール材９はパネル５の室内面を受けており、押縁１２７側のバックアップ材８およびシール材９はパネル５の室外面を受けている。
【００３４】
第二パネル保持部材１３は、第一パネル保持部材１２と同様に形成されており、第二係合片部１１２に係合している。第二パネル保持部材１３と方立部材１１との間にもホロー１３１，１３２が形成され、ホロー１３１には止水材７が充填される。この止水材７と、第二パネル保持部材１３の外係合突部１２８および中間係合突部１２９に装着された気密材６とによって止水構造１３５が構成されている。
【００３５】
出隅方立１０Ｂは、図３に示すように、第二パネル保持部材１３を除いて出隅方立１０Ａと同様に構成され、左右逆向きに配置されている。出隅方立１０Ｂは、方立部材１１の第二係合片部１１２に係合する第二パネル保持部材１４を有している。
第二パネル保持部材１４は、開閉可能なパネル５を受ける受け部材１６０を有している。
【００３６】
受け部材１６０は、見込み片部１６２と、見込み片部１６２に連続する内見付け片部１６３とを有している。内見付け片部１６３には、開閉可能なパネル５の縦框に当接する気密材１６３Ａが装着されている。
見込み片部１６２には、外係合突部１６８と、中間係合突部１６９と、内係合突部１７０とが形成されている。外係合突部１６８、中間係合突部１６９および内係合突部１７０は、見込み片部１６２から方立部材１１の第二係合片部１１２側に突出して形成されている。
外係合突部１６８は係合溝形成部１１５に係合しており、中間係合突部１６９は中間係合溝形成部１１７に係合しており、内係合突部１７０は係合突部１１６に係合している。
外係合突部１６８および中間係合突部１６９には、係合溝形成部１１５および中間係合溝形成部１１７に当接する気密材６が装着されている。
【００３７】
第二係合片部１１２と第二パネル保持部材１４の見込み片部１６２との間には、二つのホロー１５１，１５２が形成される。ホロー１５１は、第二パネル保持部材１４の見込み方向において外係合突部１６８および係合溝形成部１１５と中間係合溝形成部１１７および中間係合突部１６９との間に位置し、ホロー１５２は、ホロー１５１に対して風除室２側であって第二パネル保持部材１４の見込み方向において中間係合溝形成部１１７および中間係合突部１６９と係合突部１１６および内係合突部１７０との間に位置する。
ホロー１５１には止水材７が充填されている。このように、方立部材１１と第二パネル保持部材１４との間には、ホロー１５１に充填された止水材７と外係合突部１６８および中間係合突部１６９に装着された気密材６とによって止水構造１３５が構成されている。
【００３８】
入隅方立２０Ａは、図４に示すように、方立部材２１と、第一パネル保持部材２２と、第二パネル保持部材２３とを備えている。方立部材２１、第一パネル保持部材２２および第二パネル保持部材２３は、アルミ製の押出形材によって形成されている。
【００３９】
方立部材２１は、第一係合片部２１１、第二係合片部２１２、内片部２１３，２１４を有して角筒状に形成されている。第一係合片部２１１には、当該第一係合片部２１１に直交する方向に沿った第二係合片部２１２が連続している。第二係合片部２１２には、当該第二係合片部２１２に直交する方向に沿った内片部２１３が連続している。内片部２１３には、当該内片部２１３に直交する方向に沿った内片部２１４が連続している。内片部２１４には、当該内片部２１４に直交する方向に沿った第一係合片部２１１が連続している。内片部２１３，２１４によって、第一係合片部２１１および第二係合片部２１２に連続した一つの内片部が構成されている。
【００４０】
第一係合片部２１１には、その一方の端部に配置された係合溝形成部２１５と、係合溝形成部２１５よりも室内側の他方の端部に配置された係合突部２１６と、係合溝形成部２１５および係合突部２１６間に配置された中間係合溝形成部２１７とが形成されている。係合溝形成部２１５、係合突部２１６および中間係合溝形成部２１７は、第一係合片部２１１から第一パネル保持部材２２側に突出して形成されている。
【００４１】
第二係合片部２１２には、第一係合片部２１１と同様に、係合溝形成部２１５、係合突部２１６および中間係合溝形成部２１７が形成されている。第二係合片部２１２の係合溝形成部２１５、係合突部２１６および中間係合溝形成部２１７は、第二係合片部２１２から第二パネル保持部材２３側に突出して形成されている。
【００４２】
第一パネル保持部材２２および第二パネル保持部材２３は、出隅方立１０Ａの第一パネル保持部材１２および第二パネル保持部材１３とそれぞれ同様に構成されているので、図に同符号を適宜付す。なお、第一パネル保持部材２２および第二パネル保持部材２３の外見付け片部１２１は風除室２側に配置される。また、ホロー１３１には止水材７は充填されていなくてもよく、第一パネル保持部材２２および第二パネル保持部材２３に気密材６が装着されていなくてもよい。
【００４３】
入隅方立２０Ｂは、第二パネル保持部材２３を除いて入隅方立２０Ａと同様に構成され、左右逆向きに配置されている。入隅方立２０Ｂは、方立部材２１の第二係合片部２１２に係合する第二パネル保持部材として前述した第二パネル保持部材１４を有して構成されている。このため、入隅方立２０Ｂの第二パネル保持部材１４に保持されるパネル５は開閉可能である。
【００４４】
三方コーナー方立３０Ａは、図５に示すように、方立部材３１と、第一パネル保持部材３２と、第二パネル保持部材３３と、アタッチメント３５とを備えている。方立部材３１、第一パネル保持部材３２、第二パネル保持部材３３およびアタッチメント３５は、アルミ製の押出形材によって形成されている。
【００４５】
方立部材３１は、方立部材２１と同様に形成されており、第一パネル保持部材３２は、第一パネル保持部材２２と同様に形成されており、第二パネル保持部材３３は、第二パネル保持部材２３と同様に形成されている。このため、方立部材３１、第一パネル保持部材３２および第二パネル保持部材３３によって入隅方立が、入隅方立２０Ａと同様に構成され、左右逆向きに配置されている。方立部材３１、第一パネル保持部材３２および第二パネル保持部材３３の各構成には、方立部材２１、第一パネル保持部材２２および第二パネル保持部材２３の各構成と同符号を図に適宜付す。なお、三方コーナー方立３０Ａの室外側部分の形状、各寸法は、入隅方立２０Ａの室外側部分の形状、各寸法と同様の形状、各寸法とされる。
【００４６】
アタッチメント３５は、方立部材３１の内片部２１３に取り付けられる係合部材３６と、係合部材３６に係合する第三パネル保持部を有する第三パネル保持部材３７とを備えている。
係合部材３６は、見込み片部３６１と、その一方の端部に配置された係合溝形成部３６５と、係合溝形成部３６５よりも風除室２側の他方の端部に配置された係合突部３６６と、係合溝形成部３６５および係合突部３６６間に配置された中間係合溝形成部３６７とが形成されている。係合溝形成部３６５、係合突部３６６および中間係合溝形成部３６７は、見込み片部３６１から第三パネル保持部材３７側に突出して形成されている。
見込み片部３６１は、ビス３６８によって方立部材３１の内片部２１３に取り付けられている。
【００４７】
第三パネル保持部材３７は、第一パネル保持部材３２および第二パネル保持部材３３と同様に形成されているので、これらと同符号を図に適宜付す。
第三パネル保持部材３７の外係合突部１２８は係合溝形成部３６５に係合しており、中間係合突部１２９は中間係合溝形成部３６７に係合しており、内係合突部１３０は係合突部３６６に係合している。このように第三パネル保持部材３７は係合部材３６に係合する。
【００４８】
係合部材３６の見込み片部３６１と第三パネル保持部材３７の見込み片部１２２との間には、二つのホロー３７１，３７２が形成される。ホロー３７１は、第三パネル保持部材３７の見込み方向において外係合突部１２８および係合溝形成部３６５と中間係合溝形成部３６７との間に位置し、ホロー３７２は、ホロー３７１に対して風除室２側であって第三パネル保持部材３７の見込み方向において中間係合溝形成部３６７および中間係合突部１２９と係合突部３６６および内係合突部１３０との間に位置する。
【００４９】
第三パネル保持部材３７によって保持されるパネル５（第三パネル）は、第一パネル保持部材３２に保持されるパネル５（第一パネル）に対して平行に配置されており、第二パネル保持部材３３に保持されるパネル５（第二パネル）に対して直交する方向に沿って配置されている。
【００５０】
ここで、アタッチメント３５は室内側において風除室２の一部を形成するものであり、室外側から雨水等の浸入を抑制する止水構造は必要とされない。このため、第三パネル保持部材３７の外係合突部１２８および中間係合突部１２９には気密材６は装着されず、ホロー３７１，３７２のいずれにも止水材７は充填されない。
【００５１】
なお、三方コーナー方立３０Ｂは、三方コーナー方立３０Ａと同様に形成されており、左右逆向きに配置されている。
【００５２】
［第１実施形態の効果］
（１）第１実施形態によれば、三方コーナー方立３０は、互いに交差する方向に沿って位置する第一係合片部２１１および第二係合片部２１２と第一係合片部２１１および第二係合片部２１２に連続する内片部２１３，２１４とを有する方立部材３１と、第一係合片部２１１に係合する第一パネル保持部材３２と、第二係合片部２１２に係合する第二パネル保持部材３３とを備え、第一係合片部２１１および第一パネル保持部材３２間と第二係合片部２１２および第二パネル保持部材３３間とには止水構造１３５が構成され、内片部２１３は、第三パネル保持部材３７を有するアタッチメント３５が取り付けられることを特徴とする。
上記構成によれば、方立部材３１の第一係合片部２１１に第一パネル保持部材３２を係合し、かつ方立部材３１の第二係合片部２１２に第二パネル保持部材３３を係合することで、入隅方立を構成できる。そして、第一係合片部２１１および第一パネル保持部材３２間と第二係合片部２１２および第二パネル保持部材３３間に止水構造１３５を構成することで、室外側と室内側とを隔てる止水ライン３を形成できる。
さらに、方立部材３１の内片部２１３にアタッチメント３５を取り付けることで、前述した入隅方立を利用して三方コーナー方立３０を構成できる。
加えて、止水ライン３を形成することで、止水ライン３よりも室内側に止水構造を構成する必要がなくなる。これにより、方立部材３１の内片部２１３，２１４やアタッチメント３５に止水構造を構成する必要がなく、止水部分を削減できる。
さらに、本実施形態では、以下の各効果を発揮できる。
（２）第一係合片部２１１および第一パネル保持部材３２間と第二係合片部２１２および第二パネル保持部材３３間とにはホロー１３１がそれぞれ形成され、これらのホロー１３１には、止水構造１３５を構成する止水材７がそれぞれ充填される。
このため、第一係合片部２１１および第一パネル保持部材３２間に形成されるホロー１３１と第二係合片部２１２および第二パネル保持部材３３間に形成されるホロー１３１とを利用して止水構造１３５を簡単に構成できる。
（３）アタッチメント３５は、内片部２１３に取り付けられる係合部材３６と、第三パネル保持部材３７とを備え、第三パネル保持部材３７は、係合部材３６に係合する。
このため、第三パネル保持部材３７と係合部材３６とが係合する構造とすることで、第三パネル保持部材３７の係合部分を第一パネル保持部材３２や第二パネル保持部材３３の係合部分と同様に形成でき、互換性を向上でき、形材点数を削減できる。
【００５３】
［第２実施形態の構成］
以下、本発明の第２実施形態を図面に基づいて説明する。
図６に示す建具１Ａは、建物内外を仕切るスクリーンフロントであって出入口における風除室２を構成するものである。建具１Ａは、複数のパネル５と、複数のパネル５間に入隅方立２０（２０Ａ，２０Ｂ）および三方コーナー方立４０（４０Ａ，４０Ｂ）とを備えて構成されている。入隅方立２０Ａ，２０Ｂおよびこれらに保持されるパネル５は、建具１と同様に配置されている。
【００５４】
三方コーナー方立４０Ａは、図７に示すように、第一パネル保持部材４２と、第一パネル保持部材４２に対して左右方向に対向して係合する第二パネル保持部材４３と、第一パネル保持部材４２および第二パネル保持部材４３に取り付けられるアタッチメント４５とを備えている。
【００５５】
第一パネル保持部材４２は、三方コーナー方立３０の第一パネル保持部材３２と同様に形成されているので、図に同符号を適宜付す。
第二パネル保持部材４３は、外係合突部１２８、中間係合突部１２９および内係合突部１３０を除いて第一パネル保持部材４２と同様に形成され、左右逆向きに配置されている。
第二パネル保持部材４３の見込み片部１２２には、室外側に配置された係合溝形成部４１５と、室内側に配置された係合突部４１６と、係合溝形成部４１５および係合突部４１６間に配置された中間係合溝形成部４１７とが形成されている。係合溝形成部４１５、係合突部４１６および中間係合溝形成部４１７は、方立部材３１の係合溝形成部２１５、係合突部２１６および中間係合溝形成部２１７と同様に形成されている。
【００５６】
第一パネル保持部材４２の外係合突部１２８は第二パネル保持部材４３の係合溝形成部４１５に係合しており、第一パネル保持部材４２の中間係合突部１２９は第二パネル保持部材４３の中間係合溝形成部４１７に係合しており、第一パネル保持部材４２の内係合突部１３０は第二パネル保持部材４３の係合突部４１６に係合している。このように第一パネル保持部材４２および第二パネル保持部材４３は、互いの見込み片部１２２が左右方向に対向した状態で係合し、左右方向に平行に配置される二つのパネル５（第一パネル、第二パネル）を保持する直線方立を構成している。
【００５７】
外係合突部１２８および中間係合突部１２９には、係合溝形成部４１５および中間係合溝形成部４１７に当接する気密材６が装着されている。
第一パネル保持部材４２および第二パネル保持部材４３の見込み片部１２２間には、二つのホロー４３１，４３２が形成される。ホロー４３１は、第一パネル保持部材４２および第二パネル保持部材４３の見込み方向において外係合突部１２８および係合溝形成部４１５と中間係合溝形成部４１７との間に位置し、ホロー４３２は、ホロー４３１に対して室内側であって第一パネル保持部材４２および第二パネル保持部材４３の見込み方向において中間係合溝形成部４１７および中間係合突部１２９と係合突部４１６および内係合突部１３０との間に位置する。ホロー４３１には止水材７が充填されている。
このように、第一パネル保持部材４２と第二パネル保持部材４３との間には、ホロー４３１に充填された止水材７と外係合突部１２８および中間係合突部１２９に装着された気密材６とによって止水構造４３５が構成されている。
【００５８】
アタッチメント４５は、三方コーナー方立３０のアタッチメント３５と同様に構成されているので、図に同符号を適宜付す。アタッチメント４５の係合部材３６における見込み片部３６１は、第一パネル保持部材４２の内見付け片部１２３（内片部）から第二パネル保持部材４３の内見付け片部１２３（内片部）までわたって配置され、双方の内見付け片部１２３にビス３６８によって取り付けられている。
【００５９】
三方コーナー方立４０Ｂは、第一パネル保持部材４２を除いて三方コーナー方立４０Ａと同様に形成されている。三方コーナー方立４０Ｂは、第一パネル保持部材４２の代わりに、出隅方立１０Ｂの第二パネル保持部材１４と同様に形成されたパネル保持部材を左右逆向きに配置して構成されている（図示省略）。
【００６０】
前述した三方コーナー方立４０は、第一パネル保持部材４２および第二パネル保持部材４３同士が係合し、方立部材３１に相当する構成を備えていない点で、三方コーナー方立３０と異なる構成となっている。
【００６１】
以上の建具１Ａでは、三方コーナー方立４０Ａ，４０Ｂ間における二つのパネル５のうち図６の右側に示すパネル５が開閉可能に配置されており、また、入隅方立２０Ａ，２０Ｂ間における二つのパネル５のうち図６の右側に示すパネルが開閉可能に配置されている。
【００６２】
［第２実施形態の効果］
（１）第２実施形態によれば、三方コーナー方立４０は、第一パネル保持部材４２と、第一パネル保持部材４２に対して左右方向に対向して係合する第二パネル保持部材４３とを備え、第一パネル保持部材４２および第二パネル保持部材４３間には止水構造４３５が構成され、第一パネル保持部材４２および第二パネル保持部材４３の内見付け片部１２３（内片部）に第三パネル保持部材３７を有するアタッチメント４５が取り付けられることを特徴とする。
上記構成によれば、互いに係合する第一パネル保持部材４２と第二パネル保持部材４３とによって直線方立を構成できる。そして、第一パネル保持部材４２および第二パネル保持部材４３間に止水構造４３５を構成することで、室外側と室内側とを隔てる止水ライン３を形成できる。
さらに、第一パネル保持部材４２および第二パネル保持部材４３の内見付け片部１２３（内片部）にアタッチメント４５を取り付けることで、直線方立を利用して三方コーナー方立４０を構成できる。
加えて、前述した止水ライン３を形成することで、止水ライン３よりも室内側に止水構造を構成する必要がなくなる。これにより、内見付け片部１２３やアタッチメント４５に止水構造を構成する必要がなく、止水部分を削減できる。
（２）第一パネル保持部材４２および第二パネル保持部材４３間にはホロー４３１が形成され、ホロー４３１には、止水構造４３５を構成する止水材７が充填される。
このため、第一パネル保持部材４２および第二パネル保持部材４３間のホロー４３１を利用して止水構造４３５を簡単に構成できる。
（３）アタッチメント４５は、第一パネル保持部材４２および第二パネル保持部材４３の双方の内見付け片部１２３（内片部）にわたって取り付けられる。
このため、第一パネル保持部材４２と第二パネル保持部材４３との間の部分を室内側からアタッチメント４５によって目隠しできる。
（４）アタッチメント４５は、内見付け片部１２３に取り付けられる係合部材３６と、第三パネル保持部としての第三パネル保持部材３７とを備え、第三パネル保持部材３７は、係合部材３６に係合する。
このため、第三パネル保持部材３７と係合部材３６とが係合する構造とすることで、第三パネル保持部材３７の係合部分を第一パネル保持部材４２や第二パネル保持部材４３の係合部分と同様に形成でき、互換性を向上でき、形材点数を削減できる。
【００６３】
［変形例］
本発明は、以上の実施形態で説明した構成のものに限定されず、本発明の目的を達成できる範囲での変形例は、本発明に含まれる。
例えば、第１実施形態では、一つのアタッチメント３５を方立部材３１の内片部２１３に取り付けて三方コーナー方立３０を構成したが、これに限られず、二つ以上のアタッチメント３５を方立部材３１の内片部２１３，２１４に取り付けてもよい。例えば図８に示す第１変形例のように、三方コーナー方立３０を構成する方立部材３１の内片部２１４にアタッチメント３５Ａを取り付けて四方コーナーアタッチメント５０を構成してもよい。アタッチメント３５Ａはアタッチメント３５と同様に形成されているので同符号を適宜付す。アタッチメント３５Ａによって保持されるパネル５は、第二パネル保持部材３３に保持されるパネル５と平行に沿っているとともに、第一パネル保持部材３２およびアタッチメント３５によって保持されるパネル５と直交する方向に沿って配置される。
また、内片部２１３に取り付けられるアタッチメント３５の構成を省略し、内片部２１４に取り付けられるアタッチメント３５Ａを備えて三方コーナー方立を構成してもよい。
【００６４】
第１実施形態では、図１に示すように、出隅方立１０Ａ，１０Ｂ間と入隅方立２０Ａ，２０Ｂ間とにパネル５をそれぞれ設置しているが、これに限らない。例えば図９に示す第２変形例のように、出隅方立１０Ａ，１０Ｂ間に自動ドア６０Ａが設置され、かつ、入隅方立２０Ａ，２０Ｂ間に自動ドア６０Ｂが設置されてもよい。
自動ドア６０Ａ，６０Ｂは、ドア枠６１と、ドア枠６１内の左右半分の領域に固定された固定パネル６２と、固定パネル６２に沿って左右方向にスライド開閉可能に配置された可動パネル６３と、可動パネル６３を吊り下げ支持したエンジンユニット（図示省略）とを備えている。エンジンユニットは、可動パネル６３よりも上方に配置されている。
【００６５】
自動ドア６０Ａでは、可動パネル６３が固定パネル６２よりも風除室２側に配置されているので、エンジンユニットも固定パネル６２よりも風除室２側に配置されることとなる。このため、エンジンユニットが室外側に露出せずにシンプルな外観意匠を構成できる。
【００６６】
自動ドア６０Ｂでは、可動パネル６３が固定パネル６２よりも風除室２側に配置されているので、エンジンユニットも固定パネル６２よりも風除室２側に配置されることとなる。このため、エンジンユニットが室内側に露出せずにシンプルな内観意匠を構成できる。
【００６７】
なお、図９に示す第２変形例では、固定パネル６２よりも風除室２側に配置されたエンジンユニットを備えた自動ドア６０Ｂが用いられているが、これに限られず、例えば図１０に示す後述する第３変形例のように、可動パネル６３およびエンジンユニットが固定パネル６２よりも室内側に配置された自動ドア６０Ｃを用いてもよい。
【００６８】
図９に示す第２変形例では、三方コーナー方立３０Ａ，３０Ｂの係合部材３６は、アタッチメント３５の見込み方向における第一向きで内片部２１３に取り付けられており、第二パネル保持部材３３の内見付け片部１２３と、方立部材３１の係合突部２１６と、係合部材３６の係合溝形成部３６５と、第三パネル保持部材３７の外見付け片部１２１と、押縁１２７とによって室内側における入隅コーナー面を構成している。このように構成された入隅コーナー面は、第二パネル保持部材３３側と第三パネル保持部材３７側とで内観意匠が異なっている。
このような構成に代えて、例えば図１０，１１に示す第３変形例のように、係合部材３６を前記第一向きとは逆の第二向きで内片部２１３に取り付けてもよい。この場合には、第三パネル保持部材３７の第一見付け片部（第三パネル保持部材３７の外見付け片部１２１および押縁１２７によって構成される）は風除室２側に位置し、かつ第三パネル保持部材３７の第二見付け片部（第三パネル保持部材３７の内見付け片部１２３によって構成される）は、室内側に位置し、第二パネル保持部材３３の第一見付け片部（第二パネル保持部材３３の外見付け片部１２１および押縁１２７によって構成される）は室外側に位置し、かつ第二パネル保持部材３３の第二見付け片部（第二パネル保持部材３３の内見付け片部１２３によって構成される）は室内側に位置し、第二パネル保持部材３３および第三パネル保持部材３７の第二見付け片部同士が、第二係合片部２１２の係合突部２１６および係合部材３６の係合突部３６６とともに室内側における入隅コーナー面を構成する。
【００６９】
このように構成された場合には、第二パネル保持部材３３側と第三パネル保持部材３７側とで内観意匠を揃えることができる。具体的には、図１１に示すように、係合部材３６の係合部分（係合溝形成部３６５、係合突部３６６、中間係合溝形成部３６７）は、第二係合片部２１２における係合部分（係合溝形成部２１５、係合突部２１６、中間係合溝形成部２１７）と断面形状が同じ形状に形成されているので、係合部材３６の係合突部３６６が室内側に位置し、かつ係合溝形成部３６５が風除室２側に位置し、係合部材３６に係合する第三パネル保持部材３７の内見付け片部１２３は室内側に位置し、かつ外見付け片部１２１および押縁１２７は、風除室２側に位置することとなる。従って、三方コーナー方立３０Ａ（３０Ｂ）は、第二パネル保持部材３３の内見付け片部１２３と、方立部材３１の係合突部２１６と、係合部材３６の係合突部３６６と、第三パネル保持部材３７の内見付け片部１２３とによって室内側におけるコーナー面を構成することとなる。これにより、押縁１２７が室内側に露出することがなくなり、第二パネル保持部材３３側と第三パネル保持部材３７側とで内観意匠を揃えることができる。なお、前述したように係合部材３６を内片部２１３に取り付けた場合、入隅方立２０Ａ，２０Ｂの方立部材２１は、第一パネル保持部材２２と係合可能な形状に適宜変更される。
【００７０】
さらに、図１１に示すように、係合部材３６は、第二係合片部２１２に対して、当該第二係合片部２１２および内片部２１３の交差角θを二等分する仮想直線を対称軸Ａとして線対称となるように配置されて構成されてもよい。この場合には、第二パネル保持部材３３側と第三パネル保持部材３７側とで意匠をさらに揃えることができる。
【００７１】
また、図示しないが、係合部材３６を内片部２１４に取り付ける場合には、第三パネル保持部材３７の第一見付け片部（第三パネル保持部材３７の外見付け片部１２１および押縁１２７によって構成される）は風除室２側に位置し、かつ第三パネル保持部材３７の第二見付け片部（第三パネル保持部材３７の内見付け片部１２３によって構成される）は、室外側に位置し、第一パネル保持部材３２の第一見付け片部（第一パネル保持部材３２の外見付け片部１２１および押縁１２７によって構成される）は室外側であって第二パネル保持部材３３側に位置し、かつ第一パネル保持部材３２の第二見付け片部（第一パネル保持部材３２の内見付け片部１２３によって構成される）が室外側であって第三パネル保持部材３７側に位置し、第一パネル保持部材３２および第三パネル保持部材３７の第二見付け片部同士が、第二係合片部２１２の係合突部２１６および係合部材３６の係合突部３６６とともに室内側における入隅コーナー面を構成してもよい。
さらに、係合部材３６は、第一係合片部２１１に対して、当該第一係合片部２１１および内片部２１４の交差角θを二等分する仮想直線を対称軸Ａとして線対称となるように配置されてもよい。この場合には、図１０，１１に示す第３変形例と概略同様の作用効果を発揮でき、コーナー面を形成する第一パネル保持部材３２側と第三パネル保持部材３７とで意匠を揃えることができる。
【００７２】
第２実施形態では、アタッチメント４５の係合部材３６は、図７に示すように左右方向における第一向きで内見付け片部１２３に取り付けられているが、例えば図１２に示す第４変形例のように、係合部材３６は、図７に示す第一向きとは逆の第二向きで内見付け片部１２３に取り付けられていてもよい。このように係合部材３６の取付け向きを第一向きと第二向きとで選択することで、係合部材３６に取り付けられる第三パネル保持部材３７の左右方向における向きを設定できる。このため、第一パネル保持部材４２もしくは第二パネル保持部材４３側と第三パネル保持部材３７側との意匠を揃えることができ、また、異なる意匠とすることもできる。
【００７３】
第２実施形態では、アタッチメント４５は、第一パネル保持部材４２および第二パネル保持部材４３の双方の内片部である内見付け片部１２３にわたって取り付けられるが、これに限られず、第一パネル保持部材４２および第二パネル保持部材４３のうちのいずれか一方の内見付け片部１２３に取り付けられていてもよい。
【００７４】
前記実施形態では、アタッチメント３５，４５は、係合部材３６と第三パネル保持部材３７とが互いに係合可能に別体として形成されているが、これに限られず、係合部材３６と第三パネル保持部材３７とが一体に形成されていてもよい。
【００７５】
前記実施形態では、スクリーンフロントとして構成される建具１，１Ａに三方コーナー方立３０（３０Ａ，３０Ｂ），４０（４０Ａ，４０Ｂ）が備えられているが、このほか、カーテンウォールとして構成される建具に三方コーナー方立３０（３０Ａ，３０Ｂ），４０（４０Ａ，４０Ｂ）が備えられていてもよい。
【符号の説明】
【００７６】
１，１Ａ…建具、１０（１０Ａ，１０Ｂ）…出隅方立、１１，２１，３１…方立部材、１１１，２１１…第一係合片部、１１２，２１２…第二係合片部、１１３，１１４…外片部、１１５，２１５，３６５，４１５…係合溝形成部、１１６，２１６，３６６，４１６…係合突部、１１７，２１７，３６７，４１７…中間係合溝形成部、１２，２２，３２，４２…第一パネル保持部材、１２１…外見付け片部、１２２，１６２，３６１…見込み片部、１２３，１６３…内見付け片部、１２４…パネル対向片部、１２５…連続片部、１２６…突部、１２７…押縁、１２８，１６８…外係合突部、１２９，１６９…中間係合突部、１３，１４，２３，３３，４３…第二パネル保持部材、１３０，１７０…内係合突部、１３１，１３２，１５１，１５２…ホロー、１３５，４３５…止水構造、１６０…受け部材、２…風除室、２０（２０Ａ，２０Ｂ）…入隅方立、２１３，２１４…内片部、３…止水ライン、３０（３０Ａ，３０Ｂ），４０（４０Ａ，４０Ｂ）…三方コーナー方立、３５，３５Ａ，４５…アタッチメント、３６…係合部材、３６８…ビス、３７…第三パネル保持部材、３７１，３７２，４３１，４３２…ホロー、５…パネル、５０…四方コーナーアタッチメント、６…気密材、６０Ａ〜６０Ｃ…自動ドア、６１…ドア枠、６２…固定パネル、６３…可動パネル、７…止水材、９…シール材、８…バックアップ材、Ａ…対称軸、θ…交差角。
【図１】
2017160767.tif 000003
【図２】
2017160767.tif 000004
【図３】
2017160767.tif 000005
【図４】
2017160767.tif 000006
【図５】
2017160767.tif 000007
【図６】
2017160767.tif 000008
【図７】
2017160767.tif 000009
【図８】
2017160767.tif 000010
【図９】
2017160767.tif 000011
【図１０】
2017160767.tif 000012
【図１１】
2017160767.tif 000013
【図１２】
2017160767.tif 000014